(57)【要約】【課題】確実に、かつ無駄な電力消費がなくデータを記憶部に書込むことができる無線通信装置を提供する。【解決手段】受信レベル検出部１９は、受信レベルを検出する。受信レベル判定部１５は、受信レベル検出部１９によって検出された受信レベル検出値（Ｔ）と予め定める受信レベル判定値（Ｔ１）とを比較して、受信レベル検出値（Ｔ）が予め定める受信レベル判定値（Ｔ１）以上であるか否かを判定する。受信レベル判定部１５によって受信レベル検出値（Ｔ）が予め定める受信レベル判定値（Ｔ１）以上であると判定されたとき、１ブロックデータがダウンロードされ、書込み命令部１６は、ダウンロードされたデータをプログラムデータ記憶部５に書込ませる。【選択図】　　　図１
2004040501.tif 000002
【特許請求の範囲】
【請求項１】
受信レベルを検出する受信レベル検出部と、
予め定める受信レベル判定値（Ｔ１）が設定され、前記受信レベル検出部によって検出された受信レベル検出値（Ｔ）と前記予め定める受信レベル判定値（Ｔ１）とを比較して、受信レベル検出値（Ｔ）が前記予め定める受信レベル判定値（Ｔ１）以上であるか否かを判定する受信レベル判定部と、
受信データを記憶する記憶部と、
前記受信レベル判定部によって受信レベル検出値（Ｔ）が前記予め定める受信レベル判定値（Ｔ１）以上であると判定されたとき、受信データを記憶部に書込ませる書込み命令部とを含むことを特徴とする無線通信装置。
【請求項２】
エラーレートを検出するエラーレート検出部と、
予め定めるエラーレート判定値（Ｒ１）が設定され、前記エラーレート検出部によって検出されたエラーレート検出値（Ｒ）と前記予め定めるエラーレート判定値（Ｒ１）とを比較して、エラーレート検出値（Ｒ）が前記予め定めるエラーレート判定値（Ｒ１）以下であるか否かを判定するエラーレート判定部と、
受信データを記憶する記憶部と、
前記エラーレート判定部によってエラーレート検出値（Ｒ）が前記予め定めるエラーレート判定値（Ｒ１）以下であると判定されたとき、受信データを記憶部に書込ませる書込み命令部とを含むことを特徴とする無線通信装置。
【請求項３】
発信元が予め定めるデータ管理設備であるか否かを判定する発信元判定部をさらに含み、
発信元判定部によって発信元が予め定めるデータ管理設備であると判定されたとき、発信元と接続を確立することを特徴とする請求項１または２記載の無線通信装置。
【請求項４】
発信先が予め定めるデータ管理設備であるか否かを判定する発信先判定部をさらに含み、
発信先判定部によって発信先が予め定めるデータ管理設備であると判定されたとき、発信先と接続を確立することを特徴とする請求項１または２記載の無線通信装置。
【請求項５】
予め定めるデータ管理設備と接続を確立する前に、予め定める無線接続装置に接続されているか否かを判定する無線接続装置判定部をさらに含み、
無線接続装置判定部によって予め定める無線接続装置に接続されていると判定されたとき、前記予め定めるデータ管理設備と接続を確立することを特徴とする請求項１または２記載の無線通信装置。
【請求項６】
前記受信レベル判定値（Ｔ１）は変更可能であることを特徴とする請求項１記載の無線通信装置。
【請求項７】
前記エラーレート判定値（Ｒ１）は変更可能であることを特徴とする請求項２記載の無線通信装置。
【請求項８】
受信レベルに基づいて送信電力を制御する自動電力制御部を含み、
前記受信データを記憶部に書込むときは、前記自動電力制御部を機能させず、最大送信電力または予め定める送信電力で通信することを特徴とする請求項１または２記載の無線通信装置。
【請求項９】
前記記憶部は、不揮発性メモリであることを特徴とする請求項１〜８のうちのいずれか１つに記載の無線通信装置。
【発明の詳細な説明】
【０００１】
【発明の属する技術分野】
本発明は、受信データを記憶部に書込むことができる無線通信装置に関する。
【０００２】
【従来の技術】
従来の技術の無線通信装置は、データの書換えが可能であるメモリを含む。この従来の技術の無線通信装置は、書換えセンタからデータを受信し、受信したデータをメモリに書込むことができる。移動可能な使用状態において、この無線通信装置は、接続装置または基地局のサービス圏内から出て、電波状態が悪化すると、書換えセンタからデータを確実に受信することができなくなる。
【０００３】
【発明が解決しようとする課題】
前記従来の技術の無線通信装置は、電波状態にかかわらず、書換えセンタと通信可能であれば、書換えセンタからデータを受信する。この無線通信装置は、電波状態が悪いとき、書換えセンタからデータを確実に受信することができず、したがってデータの書込みに失敗してしまうことがある。またこの無線通信装置は、通信品質を確保することができないとき、データの受信を開始してから所望の全てのデータをメモリに書込むまでに長時間かかってしまうことがある。
【０００４】
このように従来の技術の無線通信装置は、電波状態が悪いにもかかわらず、書換えセンタからデータを継続的に受信するので、無駄な電力を消費してしまうという問題がある。
【０００５】
特開２０００−１６３３２３号公報には、電池電源の残量を検知して、電池電源の残量が十分な場合だけメモリに記録された情報の書換えを実行する電子機器が開示されている。このような技術では、電池電源の残量が判定値よりも高い状態、すなわち電池電源の残量が十分な状態では、依然として、電波状態が悪いにもかかわらず、データを継続的に受信してメモリに書込むという動作を許容してしまい、したがって無駄な電力消費を抑制することができない。
【０００６】
本発明の目的は、確実に、かつ無駄な電力消費がなくデータを記憶部に書込むことができる無線通信装置を提供することである。
【０００７】
【課題を解決するための手段】
本発明は、受信レベルを検出する受信レベル検出部と、
予め定める受信レベル判定値（Ｔ１）が設定され、前記受信レベル検出部によって検出された受信レベル検出値（Ｔ）と前記予め定める受信レベル判定値（Ｔ１）とを比較して、受信レベル検出値（Ｔ）が前記予め定める受信レベル判定値（Ｔ１）以上であるか否かを判定する受信レベル判定部と、
受信データを記憶する記憶部と、
前記受信レベル判定部によって受信レベル検出値（Ｔ）が前記予め定める受信レベル判定値（Ｔ１）以上であると判定されたとき、受信データを記憶部に書込ませる書込み命令部とを含むことを特徴とする無線通信装置である。
【０００８】
本発明に従えば、受信レベル検出部によって、受信レベル検出値（Ｔ）が検出され、受信レベル判定部によって、受信レベル検出値（Ｔ）が受信レベル判定値（Ｔ１）以上であるか否かが判定される。受信レベル判定部によって、受信レベル検出値（Ｔ）が受信レベル判定値（Ｔ１）以上であると判定されたとき、書込み命令部は、受信データを記憶部に書込ませる。
【０００９】
受信レベルが十分高ければ、データは確実に受信される。本発明では、予め定める受信レベル判定値（Ｔ１）が設定され、この受信レベル判定値（Ｔ１）を基準にして、前述のようにして、受信データを記憶部に書込むか否かが判定される。したがってデータを確実に受信することができるときだけ、受信データを記憶部に書込むことができる。これによって確実にデータを記憶部に書込むことができ、かつ無駄な電力消費を可及的に低減することができる。
【００１０】
また本発明は、エラーレートを検出するエラーレート検出部と、
予め定めるエラーレート判定値（Ｒ１）が設定され、前記エラーレート検出部によって検出されたエラーレート検出値（Ｒ）と前記予め定めるエラーレート判定値（Ｒ１）とを比較して、エラーレート検出値（Ｒ）が前記予め定めるエラーレート判定値（Ｒ１）以下であるか否かを判定するエラーレート判定部と、
受信データを記憶する記憶部と、
前記エラーレート判定部によってエラーレート検出値（Ｒ）が前記予め定めるエラーレート判定値（Ｒ１）以下であると判定されたとき、受信データを記憶部に書込ませる書込み命令部とを含むことを特徴とする無線通信装置である。
【００１１】
本発明に従えば、エラーレート検出部によって、エラーレート検出値（Ｒ）が検出され、エラーレート判定部によって、エラーレート検出値（Ｒ）がエラーレート判定値（Ｒ１）以下であるか否かが判定される。エラーレート判定部によって、エラーレート検出値（Ｒ）がエラーレート判定値（Ｒ１）以下であると判定されたとき、書込み命令部は、受信データを記憶部に書込ませる。
【００１２】
本発明では、予め定めるエラーレート判定値（Ｒ１）が設定され、このエラーレート判定値（Ｒ１）を基準にして、前述のようにして、受信データを記憶部に書込むか否かが判定される。したがってエラーレート検出値（Ｒ）がエラーレート判定値（Ｒ１）以下であるときだけ、すなわちデータを確実に受信することができるときだけ、受信データを記憶部に書込むことができる。これによって確実にデータを記憶部に書込むことができ、かつ無駄な電力消費を可及的に低減することができる。
【００１３】
また本発明は、発信元が予め定めるデータ管理設備であるか否かを判定する発信元判定部をさらに含み、
発信元判定部によって発信元が予め定めるデータ管理設備であると判定されたとき、発信元と接続を確立することを特徴とする。
【００１４】
本発明に従えば、発信元判定部によって発信元が予め定めるデータ管理設備であるか否かが判定される。発信元判定部によって発信元が予め定めるデータ管理設備であると判定されたとき、本発明の無線通信装置と、発信元、すなわち予め定めるデータ管理設備との接続が確立される。
【００１５】
したがって予め定めるデータ管理設備からの着信によって、予め定めるデータ管理設備と接続を確立することができる。また予め定めるデータ管理設備とは異なる他のデータ管理設備と接続が確立されてしまうことが防がれ、これによって他のデータ管理設備からの不所望な受信データが記憶部に書込まれてしまうことが防がれる。
【００１６】
また本発明は、発信先が予め定めるデータ管理設備であるか否かを判定する発信先判定部をさらに含み、
発信先判定部によって発信先が予め定めるデータ管理設備であると判定されたとき、発信先と接続を確立することを特徴とする。
【００１７】
本発明に従えば、発信先判定部によって発信先が予め定めるデータ管理設備であるか否かが判定される。発信先判定部によって発信先が予め定めるデータ管理設備であると判定されたとき、本発明の無線通信装置と、発信先、すなわち予め定めるデータ管理設備との接続が確立される。
【００１８】
したがって予め定めるデータ管理設備とは異なる他のデータ管理設備と接続が確立されてしまうことが防がれ、これによって他のデータ管理設備からの不所望な受信データが記憶部に書込まれてしまうことが防がれる。
【００１９】
また本発明は、予め定めるデータ管理設備と接続を確立する前に、予め定める無線接続装置に接続されているか否かを判定する無線接続装置判定部をさらに含み、
無線接続装置判定部によって予め定める無線接続装置に接続されていると判定されたとき、前記予め定めるデータ管理設備と接続を確立することを特徴とする。
【００２０】
本発明に従えば、本発明の無線通信装置と予め定めるデータ管理設備との接続が確立される前に、無線接続装置判定部によって予め定める無線接続装置に接続されているか否かが判定される。無線接続装置判定部によって予め定める無線接続装置に接続されていると判定されたとき、本発明の無線通信装置と予め定めるデータ管理設備との接続が確立される。
【００２１】
したがって予め定める無線接続装置と接続可能である場所では、予め定めるデータ管理設備と接続が確立されるが、予め定める無線接続装置と接続不可能である場所では、予め定めるデータ管理設備と接続が確立されない。こうして受信データを記憶部に書込むことができる場所が限定される。これによって不所望な受信データが記憶部に書込まれてしまう可能性を低下させることができ、したがって安全性を向上させることができる。
【００２２】
また本発明は、前記受信レベル判定値（Ｔ１）は変更可能であることを特徴とする。
【００２３】
本発明に従えば、受信レベル判定値（Ｔ１）が変更可能であるので、利用者は、この受信レベル判定値（Ｔ１）を選択することができる。受信レベルは、データ転送時間に与える影響が大きいので、利用者は、受信レベル判定値（Ｔ１）を選択することによって、データ転送時間を選択することができる。
【００２４】
また本発明は、前記エラーレート判定値（Ｒ１）は変更可能であることを特徴とする。
【００２５】
本発明に従えば、エラーレート判定値（Ｒ１）が変更可能であるので、利用者は、このエラーレート判定値（Ｒ１）を選択することができる。エラーレートは、データ転送時間に与える影響が大きいので、利用者は、エラーレート判定値（Ｒ１）を選択することによって、データ転送時間を選択することができる。
【００２６】
また本発明は、受信レベルに基づいて送信電力を制御する自動電力制御部を含み、
前記受信データを記憶部に書込むときは、前記自動電力制御部を機能させず、最大送信電力または予め定める送信電力で通信することを特徴とする。
【００２７】
本発明に従えば、受信データを記憶部に書込むときは、前記自動電力制御部を機能させず、最大送信電力または予め定める送信電力で通信する。したがって送信電力が小さいことが原因で、受信データが記憶部に書込まれている途中に、通信の失敗が増加すること、および接続が切断されることが防がれる。
【００２８】
また本発明は、前記記憶部は、不揮発性メモリであることを特徴とする。
本発明に従えば、記憶部が不揮発性メモリであるので、電力の供給が停止されても、データを保持することができる。
【００２９】
【発明の実施の形態】
図１は、本発明の実施の一形態の無線通信装置１のアルゴリズムを示す図である。本実施の形態の無線通信装置１は、制御部２をハードウェア資源として利用する無線通信装置である。この無線通信装置１は、携帯電話機として実現される。
【００３０】
無線通信装置１は、制御部２と、無線制御部３と、音声処理制御部４と、プログラムデータ記憶部５と、無線制御データ記憶部６と、ユーザデータ記憶部７と、キー操作部８と、表示部９と、スピーカ１０と、マイク１１とを含んで構成される。
【００３１】
制御部２は、無線通信装置１全体の動作を制御する。この制御部２は、受信レベル判定部１５と、書込み命令部１６とを有する。受信レベル判定部１５は、後述する無線制御部３の受信レベル検出部１９によって検出される受信レベル検出値（Ｔ）と、予め定める受信レベル判定値（Ｔ１）とを比較して、受信レベル判定値（Ｔ）が前記予め定める受信レベル判定値（Ｔ１）以上であるか否かを判定する。書込み命令部１６は、受信レベル判定部１５によって受信レベル検出値（Ｔ）が前記予め定める受信レベル判定値（Ｔ１）以上であると判定されたとき、受信データをプログラムデータ記憶部５に書込ませる。
【００３２】
無線制御部３は、アンテナ１７を有する。この無線制御部３は、さらに自動電力制御（Ａｕｔｏｍａｔｉｃ　Ｐｏｗｅｒ　Ｃｏｎｔｒｏｌ、略称ＡＰＣ）部１８と、受信レベル検出部１９とを有する。この無線制御部３を動作させるためのプログラムは、後述するプログラムデータ記憶部５に記憶されている。
【００３３】
自動電力制御部１８は、受信レベルに基づいて、無線通信装置１の送信電力を変化させる。自動電力制御部１８は、受信レベルが高いとき、無線通信装置１の送信電力を小さくする。これによって送信にかかる電力消費が低減される。この自動電力制御部１８は、たとえば自動電力制御回路によって実現される。
【００３４】
受信レベル検出部１９は、受信レベルを検出する。受信レベル検出部１９によって検出される受信レベル検出値（Ｔ）は、たとえば受信電界強度に基づく電圧値である。この電圧値は、５０Ω終端したときの電圧値である。受信レベル検出部１９は、たとえば受信信号強度指示（Ｒｅｃｅｉｖｉｎｇ　Ｓｉｇｎａｌ　Ｓｔｒｅｎｇｔｈ　Ｉｎｄｉｃａｔｏｒ、略称ＲＳＳＩ）回路によって実現される。受信レベル検出部１９によって検出される受信レベル検出値（Ｔ）は、受信電界強度に基づく電圧値の代わりに、受信電界強度に基づく電流値であってもよい。
【００３５】
音声処理制御部４は、マイク１１からのアナログ信号をデジタル信号に変換し、そのデジタル信号をコード化する。音声処理制御部４は、コード化した信号を制御部２へ出力する。また音声処理制御部４は、制御部２から信号を入力し、入力した信号を音声信号に復号する。音声処理制御部は、復号した音声信号をアナログ信号に変換し、スピーカ１０へ出力する。
【００３６】
プログラムデータ記憶部５は、無線制御部３を動作させるためのプログラムデータを記憶している。プログラムデータ記憶部５は、データの書換えが可能である。プログラムデータ記憶部５は、不揮発性メモリによって実現される。したがってプログラムデータ記憶部５は、電力の供給が停止されても、前記プログラムデータを保持することができる。このプログラムデータ記憶部５は、たとえば不揮発性メモリであるフラッシュメモリによって実現される。本実施の形態において、プログラムデータ記憶部５は、受信データを記憶する記憶部である。
【００３７】
無線制御データ記憶部６は、書換えセンタの電話番号を記憶している。書換えセンタは、予め定めるデータ管理設備である。また無線制御データ記憶部６は、予め定める受信レベル判定値（Ｔ１）を記憶している。
【００３８】
ユーザデータ記憶部７は、電話帳を記憶している。またユーザデータ記憶部７は、キー操作部８によって入力される電話番号を記憶する。
【００３９】
キー操作部８は、ダイヤルキーおよび登録キーなどを備える。無線通信装置１の利用者は、このキー操作部８を操作することによって、電話番号および動作命令などを入力することができる。このキー操作部８からの信号は、制御部２に与えられる。表示部９は、制御部２からの信号に基づく画面を表示する。
【００４０】
無線通信装置１は、音声通話が可能である。音声通話時においては、音声処理制御部４によって、マイク１１からのアナログ信号がデジタル信号に変換され、そのデジタル信号がコード化される。コード化された信号は、制御部２に与えられ、制御部２から無線制御部３に与えられる。こうして無線制御部３に与えられた信号は、無線信号として送信される。また無線制御部３によって受信された信号は、制御部２に与えられ、制御部２から音声処理制御部４に与えられる。こうして音声処理制御部４に与えられた信号は、音声信号に復号され、復号された音声信号はアナログ信号に変換され、スピーカ１０へ出力される。
【００４１】
また本実施の形態の無線通信装置１は、書換えセンタからプログラムデータをダウンロードし、ダウンロードしたプログラムデータをプログラムデータ記憶部５に書込むことができる。本実施の形態において、「ダウンロード」は、無線制御部３でデータを受信し、制御部２で無線制御部３によって受信されたデータを読取ることを意味する。また本実施の形態において、書換えセンタからダウンロードされるプログラムデータは、無線制御部３を動作させるためのプログラムデータである。
【００４２】
書換えセンタは、携帯電話事業者網に接続されるデータ管理設備である。書換えセンタは、プログラムデータを格納する記憶装置と、記憶装置に格納されたプログラムデータの受渡処理を行うコンピュータであるサーバとを含んで構成される。無線通信装置１は、無線接続装置である基地局を介して書換えセンタと接続される。基地局は、携帯電話事業者網に接続される無線接続装置であって、無線通信装置１と携帯電話事業者網とを接続する。無線通信装置１と基地局とは、無線回線によって接続され、基地局と書換えセンタとは、有線回線によって接続される。無線通信装置１は、書換えセンタから基地局を介して、プログラムデータをダウンロードする。
【００４３】
無線通信装置１は、無線通信装置１および基地局間の通信状態に基づいて、書換えセンタからデータをダウンロードするか否かを判定する。より具体的には、無線通信装置１は、基地局からの電波の電界強度に基づいて、書換えセンタからデータをダウンロードするか否かを判定する。
【００４４】
本実施の形態では、書換えセンタは、プログラムデータを複数のブロックデータに分割して送信する。各ブロックデータは、複数のフレームによって構成される。
【００４５】
図２は、無線通信装置１の全体の動作を説明するためのフローチャートである。まず無線通信装置１の利用者によって、書換えセンタに発信するための操作が行われる。このとき無線通信装置１の利用者は、たとえばキー操作部８を操作することによってプログラム書換えボタンを選択する。プログラム書換えボタンが選択されると、ステップａ１からステップａ２に進む。ステップａ２において、プログラムデータ記憶部５に記憶されるプログラムデータを書換えるためのプログラム書換えモードが起動される。
【００４６】
ステップａ３において、制御部２は、書換えセンタの電話番号を、無線制御データ記憶部６から読出す。制御部２は、この書換えセンタの電話番号を、無線制御部３に与える。無線制御部３は、制御部２から与えられた書換えセンタの電話番号を、無線信号として送信する。
【００４７】
ステップａ４において、制御部２は、書換えセンタに接続完了したか否かを判定する。制御部２は、書換えセンタに接続完了していないと判定すると、再度書換えセンタに接続完了したか否かを判定する。制御部２によって、書換えセンタに接続完了したと判定されると、ステップａ５に進む。
【００４８】
ステップａ５において、無線制御部３の受信レベル検出部１９は、受信レベルを検出する。制御部２の受信レベル判定部１５は、受信レベル検出部１９によって検出された受信レベル検出値（Ｔ）と予め定める受信レベル判定値（Ｔ１）とを比較して、受信レベル検出値（Ｔ）が前記予め定める受信レベル判定値（Ｔ１）以上であるか否かを判定する。
【００４９】
予め定める受信レベル判定値（Ｔ１）は、無線制御データ記憶部６に記憶されている。受信レベル判定部１５は、前述の判定を行う前に、無線制御データ記憶部６から予め定める受信レベル判定値（Ｔ１）を読出し、この予め定める受信レベル判定値（Ｔ１）を用いて前述の判定を行う。
【００５０】
ステップａ５で、受信レベル判定部１５によって、受信レベル検出値（Ｔ）が前記予め定める受信レベル判定値（Ｔ１）未満であると判定されたとき、ステップａ１０に進む。ステップａ１０において、制御部２は、書換えセンタとの接続を切断する。また制御部２は、表示部９を制御して、表示部９にエラー表示画面を表示させる。この後、待ち受け状態に移行する。こうしてステップａ９に進み、プログラム書換えモードが終了される。
【００５１】
ステップａ５で、受信レベル判定部１５によって、受信レベル検出値（Ｔ）が前記予め定める受信レベル判定値（Ｔ１）以上であると判定されたとき、ステップａ６に進む。ステップａ６において、書換えセンタから１ブロックデータがダウンロードされる。書換えセンタからの１ブロックデータは、プログラムデータ記憶部５に記憶されているプログラムデータの一部に対応するデータである。
【００５２】
１ブロックデータがダウンロードされると、制御部２の書込み命令部１６は、ダウンロードされた１ブロックデータをプログラムデータ記憶部５に書込ませる。１ブロックデータがプログラムデータ記憶部５に書込まれると、ステップａ７に進む。
【００５３】
電波状態がよく、したがって受信レベルが十分高ければ、データは確実に受信される。本実施の形態では、受信レベル判定値（Ｔ１）を基準にして、前述のようにして、受信データである１ブロックデータをプログラムデータ記憶部５に書込むか否かが判定される。したがってデータを確実に受信することができるときだけ、受信データをプログラムデータ記憶部５に書込むことができ、これによって確実にプログラムデータをプログラムデータ記憶部５に書込むことができる。
【００５４】
また電波状態が悪く、したがって受信レベルが低いにもかかわらず、書換えセンタからデータを継続的にダウンロードするということが防がれる。したがってデータのダウンロードを開始してから所望の全てのデータをプログラムデータ記憶部５に書込むまでに長時間かかるということが防がれ、無駄な電力消費を可及的に低減することができる。また無線通信装置１の利用者は、プログラムデータをダウンロードするために長時間待つということがなくなり、時間を有効に活用することができる。
【００５５】
さらに表示部９にエラー表示画面を表示させることによって、無線通信装置１の利用者に、早い段階で、プログラムデータの書込みが不可能であることを知らせることができる。したがって無線通信装置１の利用者が書込み不可能であることを認識することができずに、繰り返しプログラムデータを書換えるための操作を行ってしまうということが防がれ、無駄な電力の消費が低減される。
【００５６】
たとえば受信レベル検出値（Ｔ）が４５ｄＢμＶ以上であれば、安定した通信が可能である。受信レベル判定値（Ｔ１）が４５ｄＢμＶ未満の値であれば、前述のような効果が得られない。
【００５７】
ステップａ７において、制御部２は、全ブロックデータがダウンロードされたか否かを判定する。制御部２によって、全ブロックデータがダウンロードされたと判定されると、ステップａ８に進む。制御部２によって、全ブロックデータがダウンロードされていないと判定されると、ステップａ５に戻る。
【００５８】
ステップａ８において、制御部２は、書換えセンタとの接続を切断する。この後、待ち受け状態に移行する。こうしてステップａ９に進み、プログラム書換えモードが終了される。
【００５９】
図３は、本発明の実施の他の形態の無線通信装置２１のアルゴリズムを示す図である。本実施の形態の無線通信装置２１は、図１に示される無線通信装置１と類似しており、同様の部分は、同一の参照符を付して説明を省略する。
【００６０】
無線通信装置２１は、無線通信装置２１および基地局間の通信状態に基づいて、書換えセンタからデータをダウンロードするか否かを判定する。より具体的には、無線通信装置２１は、基地局から受信したデータのエラーレートに基づいて、書換えセンタからデータをダウンロードするか否かを判定する。
【００６１】
無線通信装置２１の制御部２は、受信レベル判定部１５および書込み命令部１６に代えて、エラーレート判定部２２および書込み命令部２３を有する。エラーレート判定部２２は、後述する無線制御部３のエラーレート検出部２４によって検出されるエラーレート検出値（Ｒ）と、予め定めるエラーレート判定値（Ｒ１）とを比較して、エラーレート判定値（Ｒ）が前記予め定めるエラーレート判定値（Ｒ１）以下であるか否かを判定する。書込み命令部２３は、エラーレート判定部２２によってエラーレート検出値（Ｒ）が前記予め定めるエラーレート判定値（Ｒ１）以下であると判定されたとき、受信データをプログラムデータ記憶部５に書込ませる。
【００６２】
また無線通信装置２１の無線制御部３は、受信レベル検出部１９に代えて、エラーレート検出部２４を有する。エラーレート検出部２４は、エラーレートを検出する。エラーレート検出部２４は、直前にダウンロードされた１ブロックデータに含まれる全フレームの数と、前記１ブロックデータに含まれる誤りを有するフレームの数とに基づいて、エラーレート検出値（Ｒ）を検出する。エラーレート検出値（Ｒ）は、全フレームの数に対する誤りを有するフレームの数の割合であって、たとえば百分率で表される。
【００６３】
エラーレート検出部２４は、巡回冗長検査（Ｃｙｃｌｉｃ　Ｒｅｄｕｎｄａｎｃｙ　Ｃｈｅｃｋ、略称ＣＲＣ）によって、各フレームが誤りを有するか否かを判定する。前記誤りを有するフレームの数は、巡回冗長検査によって誤りを有すると判定されたフレームの数である。
【００６４】
図４は、無線通信装置２１の全体の動作を説明するためのフローチャートである。図２に示される動作と同様の動作に関する説明は省略する。
【００６５】
ステップｂ１〜ステップｂ４は、図２のステップａ１〜ステップａ４と同様である。ステップｂ４で、制御部２が書換えセンタと接続完了したと判定すると、ステップｂ５に進む。ステップｂ５では、書換えセンタから１ブロックデータがダウンロードされ、ステップｂ６に進む。ステップｂ５で、ダウンロードされた１ブロックデータは、ダミーデータであって、プログラムデータ記憶部５に書込まれない。
【００６６】
ステップｂ６において、無線制御部３のエラーレート検出部２４は、直前にダウンロードされた１ブロックデータのエラーレートを検出する。制御部２のエラーレート判定部２２は、エラーレート検出部２４によって検出されたエラーレート検出値（Ｒ）と予め定めるエラーレート判定値（Ｒ１）とを比較して、エラーレート検出値（Ｒ）が前記予め定めるエラーレート判定値（Ｒ１）以下であるか否かを判定する。
【００６７】
予め定めるエラーレート判定値（Ｒ１）は、無線制御データ記憶部６に記憶されている。エラーレート判定部２２は、前述の判定を行う前に、無線制御データ記憶部６から予め定めるエラーレート判定値（Ｒ１）を読出し、この予め定めるエラーレート判定値（Ｒ１）を用いて前述の判定を行う。
【００６８】
ステップｂ６で、エラーレート判定部２２によって、エラーレート検出値（Ｒ）が前記予め定めるエラーレート判定値（Ｒ１）を超えていると判定されたとき、ステップｂ１１に進む。ステップｂ１１において、制御部２は、書換えセンタとの接続を切断する。また制御部２は、表示部９を制御して、表示部９にエラー表示画面を表示させる。この後、待ち受け状態に移行する。こうしてステップａ９に進み、プログラム書換えモードが終了される。
【００６９】
ステップｂ６で、エラーレート判定部２２によって、エラーレート検出値（Ｒ）が前記予め定めるエラーレート判定値（Ｒ１）以下であると判定されたとき、ステップｂ７に進む。ステップｂ７において、書換えセンタから１ブロックデータがダウンロードされる。書換えセンタからの１ブロックデータは、プログラムデータ記憶部５に記憶されているプログラムデータの一部に対応するデータである。
【００７０】
１ブロックデータがダウンロードされると、制御部２の書込み命令部２３は、ダウンロードされた１ブロックデータをプログラムデータ記憶部５に書込ませる。１ブロックデータがプログラムデータ記憶部５に書込まれると、ステップｂ８に進む。
【００７１】
本実施の形態では、エラーレート判定値（Ｒ１）を基準にして、前述のようにして、受信データである１ブロックデータをプログラムデータ記憶部５に書込むか否かが判定される。したがってエラーレート検出値（Ｒ）がエラーレート判定値（Ｒ１）以下であるときだけ、すなわちデータを確実に受信することができるときだけ、受信データをプログラムデータ記憶部５に書込むことができる。これによって確実にプログラムデータをプログラムデータ記憶部５に書込むことができる。
【００７２】
また電波状態が悪く、したがってエラーレートが高いにもかかわらず、書換えセンタからデータを継続的にダウンロードするということが防がれる。したがってデータのダウンロードを開始してから所望の全てのデータをプログラムデータ記憶部５に書込むまでに長時間かかるということが防がれ、無駄な電力消費を可及的に低減することができる。また無線通信装置１の利用者は、プログラムデータをダウンロードするために長時間待つということがなくなり、時間を有効に活用することができる。
【００７３】
さらに表示部９にエラー表示画面を表示させることによって、無線通信装置１の利用者に、早い段階で、プログラムデータの書込みが不可能であることを知らせることができる。したがって無線通信装置１の利用者が書込み不可能であることを認識することができずに、繰り返しプログラムデータを書換えるための操作を行ってしまうということが防がれ、無駄な電力の消費が低減される。
【００７４】
エラーレート判定値（Ｒ１）は、たとえば５０％以下の値に選ばれ、好ましくは３０％に選ばれる。エラーレート判定値（Ｒ１）が５０％を超える値であれば、効率よくプログラムデータをプログラムデータ記憶部５に書込むことができず、前述のような効果が得られない。
【００７５】
ステップｂ８において、制御部２は、全ブロックデータがダウンロードされたか否かを判定する。制御部２によって、全ブロックデータがダウンロードされたと判定されると、ステップｂ９に進む。制御部２によって、全ブロックデータがダウンロードされていないと判定されると、ステップｂ６に戻る。
【００７６】
ステップｂ９において、制御部２は、書換えセンタとの接続を切断する。この後、待ち受け状態に移行する。こうしてステップａ９に進み、プログラム書換えモードが終了される。
【００７７】
図５は、本発明の実施のさらに他の形態の無線通信装置の全体の動作を説明するためのフローチャートである。図４に示される動作と同様の動作に関する説明は省略する。
【００７８】
本実施の形態の無線通信装置は、図３に示される無線通信装置２１と類似しており、同様の部分は説明を省略する。この無線通信装置の制御部２は、エラーレート判定部２２および書込み命令部２３に加えて、発信元判定部を有する。発信元判定部は、発信元が予め定めるデータ管理設備であるか否かを判定する。予め定めるデータ管理設備は、予め定める書換えセンタである。
【００７９】
ステップｂ１からステップｂ２ａに進み、無線制御部３で着信信号を受信すると、ステップｂ２ｂに進む。ステップｂ２ｂにおいて、発信元判定部は、着信信号に付加される発信元電話番号が予め定める書換えセンタの電話番号と一致しているか否かを判定する。この予め定める書換えセンタの電話番号は、無線制御データ記憶部６に記憶されている。発信元判定部は、前述の判定を行う前に、無線制御データ記憶部６から予め定める書換えセンタの電話番号を読出し、この予め定める書換えセンタの電話番号を用いて前述の判定を行う。前述の判定は、キー操作部８の操作によって着信に応答したときに行ってもよい。
【００８０】
ステップｂ２ｂで、発信元判定部によって発信元電話番号が予め定める書換えセンタの電話番号と一致していないと判定されたとき、ステップｂ２ｃに進み、通常の着信動作へ移行する。
【００８１】
ステップｂ２ｂで、発信元判定部によって発信元電話番号が予め定める書換えセンタの電話番号と一致していると判定されたとき、プログラムデータ記憶部５に記憶されるプログラムデータを書換えるためのプログラム書換えモードが起動され、ステップｂ４に進む。ステップｂ４以降の動作は、図４のステップｂ４以降の動作と同様である。
【００８２】
このように発信元判定部によって発信元電話番号が予め定める書換えセンタの電話番号と一致していると判定されたとき、すなわち発信元判定部によって発信元が予め定める書換えセンタであると判定されたとき、本実施の形態の無線通信装置と、発信元、すなわち予め定める書換えセンタとの接続が確立される。
【００８３】
したがって本実施の形態の無線通信装置は、予め定める書換えセンタからの着信によって、予め定める書換えセンタと接続を確立することができる。また予め定める書換えセンタとは異なる他のデータ管理設備と接続が確立されてしまうことが防がれ、これによって他のデータ管理設備からの不所望な受信データがプログラムデータ記憶部５に書込まれてしまうことが防がれる。
【００８４】
図６は、本発明の実施のさらに他の形態の無線通信装置の全体の動作を説明するためのフローチャートである。図４に示される動作と同様の動作に関する説明は省略する。
【００８５】
本実施の形態の無線通信装置は、図３に示される無線通信装置２１と類似しており、同様の部分は説明を省略する。この無線通信装置の制御部２は、エラーレート判定部２２および書込み命令部２３に加えて、発信先判定部を有する。発信先判定部は、発信先が予め定めるデータ管理設備であるか否かを判定する。予め定めるデータ管理設備は、予め定める書換えセンタである。
【００８６】
ステップｂ１からステップｂ２ｄに進み、無線通信装置の利用者がキー操作部８のダイヤルキーを操作することによって電話番号が入力され、さらにプログラム書換えボタンが選択される。このようにして無線通信装置の利用者によって、書換えセンタに発信するための操作が行われると、ステップｂ２ｅに進む。
【００８７】
ステップｂ２ｅにおいて、発信先判定部は、無線通信装置の利用者によって入力された電話番号、すなわち発信先電話番号が予め定める書換えセンタの電話番号と一致しているか否かを判定する。この予め定める書換えセンタの電話番号は、無線制御データ記憶部６に記憶されている。発信先判定部は、前述の判定を行う前に、無線制御データ記憶部６から予め定める書換えセンタの電話番号を読出し、この予め定める書換えセンタの電話番号を用いて前述の判定を行う。
【００８８】
ステップｂ２ｅで、発信先判定部によって発信先電話番号が予め定める書換えセンタの電話番号と一致していないと判定されたとき、ステップｂ２ｆに進む。ステップｂ２ｆにおいて、制御部２は、表示部９を制御して、表示部９にエラー表示画面を表示させる。この後、待ち受け状態に移行する。
【００８９】
ステップｂ２ｅで、発信先判定部によって発信先電話番号が予め定める書換えセンタの電話番号と一致していると判定されたとき、ステップｂ３に進む。ステップｂ３において、制御部２は、無線通信装置の利用者によって入力された電話番号を、無線制御部３に与える。無線制御部３は、制御部２から与えられた電話番号を、無線信号として送信する。またプログラムデータ記憶部５に記憶されるプログラムデータを書換えるためのプログラム書換えモードが起動される。ステップｂ４以降の動作は、図４のステップｂ４以降の動作と同様である。
【００９０】
このように発信先判定部によって発信先電話番号が予め定める書換えセンタの電話番号と一致していると判定されたとき、すなわち発信先判定部によって発信先が予め定める書換えセンタであると判定されたとき、本実施の形態の無線通信装置と、発信先、すなわち予め定める書換えセンタとの接続が確立される。
【００９１】
したがって予め定める書換えセンタとは異なる他のデータ管理設備と接続が確立されてしまうことが防がれ、これによって他のデータ管理設備からの不所望な受信データがプログラムデータ記憶部５に書込まれてしまうことが防がれる。
【００９２】
図７は、本発明の実施のさらに他の形態の無線通信装置の全体の動作を説明するためのフローチャートである。図４に示される動作と同様の動作に関する説明は省略する。
【００９３】
本実施の形態の無線通信装置は、図３に示される無線通信装置２１と類似しており、同様の部分は説明を省略する。この無線通信装置の制御部２は、エラーレート判定部２２および書込み命令部２３に加えて、無線接続装置判定部を有する。無線接続装置判定部は、予め定める無線接続装置に接続されているか否かを判定する。予め定める無線接続装置は、予め定める基地局である。基地局は、ＩＤ（ＩＤｅｎｔｉｆｉｃａｔｉｏｎ）番号などと呼ばれる各基地局固有の識別番号を有する。この識別番号によって各基地局が識別される。
【００９４】
ステップｂ１〜ステップｂ３は、図４のステップｂ１〜ステップｂ３と同様である。ステップｂ３からステップｂ３ａに進み、基地局からその基地局のＩＤ番号を与えられると、無線接続装置判定部は、与えられたＩＤ番号と予め定める基地局のＩＤ番号とが一致するか否かを判定する。
【００９５】
予め定める基地局のＩＤ番号は、無線制御データ記憶部６に記憶されている。予め定める基地局は、１つであってもよいし、複数であってもよい。制御部２は、前述の判定を行う前に、無線制御データ記憶部６から予め定める基地局のＩＤ番号を読出し、この予め定める基地局のＩＤ番号を用いて前述の判定を行う。このようにして無線接続装置判定部は、予め定める基地局に接続されているか否かを判定する。
【００９６】
ステップｂ３ａで、無線接続装置判定部によって、与えられたＩＤ番号が予め定める基地局のＩＤ番号と一致していないと判定されたとき、ステップｂ１１に進む。ステップｂ１１において、制御部２は、基地局との無線接続を切断する。また制御部２は、表示部９を制御して、表示部９にエラー表示画面を表示させる。この後、待ち受け状態に移行する。こうしてステップｂ１０に進み、プログラム書換えモードが終了される。
【００９７】
ステップｂ３ａで、無線接続装置判定部によって、与えられたＩＤ番号が予め定める基地局のＩＤ番号と一致していると判定されたとき、ステップｂ４に進む。ステップｂ４以降の動作は、図４のステップｂ４以降の動作と同様である。
【００９８】
このように本実施の形態の無線通信装置と予め定める書換えセンタとの接続が確立される前に、無線接続装置判定部によって予め定める基地局に接続されているか否かが判定される。無線接続装置判定部によって予め定める基地局に接続されていると判定されたとき、本実施の形態の無線通信装置と予め定める書換えセンタとの接続が確立される。
【００９９】
したがって予め定める基地局と接続可能である場所では、予め定める書換えセンタと接続されるが、予め定める基地局と接続不可能である場所では、予め定める書換えセンタと接続されない。こうしてプログラムデータをプログラムデータ記憶部５に書込むことができる場所が限定される。これによって不所望な受信データがプログラムデータ記憶部５に書込まれてしまう可能性を低下させることができ、したがって安全性を向上させることができる。
【０１００】
図８は、図１に示される無線通信装置１の全体の動作の他の例を説明するためのフローチャートである。図２に示される動作と同様の動作に関する説明は省略する。
【０１０１】
ステップａ１〜ステップａ３は、図２のステップａ１〜ステップａ３と同様である。ステップａ３からステップａ３ａに進み、制御部２は、無線制御部３の自動電力制御部１８による送信電力の制御を停止させる。制御部２は、送信電力を最大送信電力に設定する。これによって無線制御部３から最大送信電力で無線信号が送信される。ステップａ４以降の動作は、図２のステップａ４以降の動作と同様である。
【０１０２】
このように受信データであるプログラムデータがプログラムデータ記憶部５に書込まれているときは、自動電力制御部１８による送信電力の制御が停止され、最大送信電力で通信される。これによって受信データであるプログラムデータがプログラムデータ記憶部５に書込まれている途中に、通信の失敗が増加すること、また書換えセンタとの接続が切断されることが防がれる。
【０１０３】
図８のステップａ３ａにおいて、制御部２は、送信電力を予め定める送信電力に設定してもよい。予め定める送信電力は、最大送信電力を含まない。予め定める送信電力の値は、無線制御データ記憶部６に記憶されている。制御部２は、無線制御データ記憶部６に記憶されている予め定める送信電力の値を読出し、この予め定める送信電力の値に基づいて、送信電力を予め定める送信電力に設定する。
【０１０４】
本発明の実施のさらに他の形態の無線通信装置は、図１に示される無線通信装置１および図３に示される無線通信装置２１と類似している。本実施の形態の無線通信装置は、制御部２が受信レベル判定部１５、エラーレート判定部２２、および書込み命令部１６，２３を有し、無線制御部３が受信レベル検出部１９およびエラーレート検出部２４を有する。
【０１０５】
この無線通信装置では、受信レベル判定部１５によって、受信レベル検出値（Ｔ）が受信レベル判定値（Ｔ１）以上であると判定され、かつエラーレート判定部２２によって、エラーレート検出値（Ｒ）がエラーレート判定値（Ｒ１）以下であると判定されたとき、１ブロックデータがダウンロードされる。
【０１０６】
この無線通信装置では、受信レベル判定部１５によって受信レベル検出値（Ｔ）が受信レベル判定値（Ｔ１）以上であると判定されたときと、エラーレート判定部２２によってエラーレート検出値（Ｒ）がエラーレート判定値（Ｒ１）以下であると判定されたときとのうちのいずれか一方のときに、１ブロックデータがダウンロードされるとしてもよい。
【０１０７】
図９は、受信レベル判定値（Ｔ１）およびエラーレート判定値（Ｒ１）を登録するときの無線通信装置の全体の動作を説明するためのフローチャートである。無線通信装置の利用者が無線閾値登録モードを起動するための操作をキー操作部８に対して行うと、ステップｃ１からステップｃ２に進み、無線閾値登録モードが起動される。
【０１０８】
次にステップｃ３において、無線通信装置の利用者がキー操作部８を操作することによって受信レベル判定値（Ｔ１）を入力すると、制御部２は、入力された受信レベル判定値（Ｔ１）を無線制御データ記憶部６に記憶して、登録する。
【０１０９】
次にステップｃ４において、無線通信装置の利用者がキー操作部８によってエラーレート判定値（Ｒ１）を入力すると、制御部２は、入力されたエラーレート判定値（Ｒ１）を無線制御データ記憶部６に記憶して、登録する。
【０１１０】
こうして受信レベル判定値（Ｔ１）およびエラーレート判定値（Ｒ１）が登録されると、ステップｃ５において、無線閾値登録モードを終了する。
【０１１１】
受信レベルが低いとき、およびエラーレートが高いときは、誤りの訂正またはデータの再送が必要となり、データのダウンロードが開始されてから全ての所望のデータが確実にダウンロードされるまでに、長時間かかることがある。このように受信レベルおよびエラーレートは、データ転送時間に与える影響が大きい。
【０１１２】
本実施の形態の無線通信装置では、受信レベル判定値（Ｔ１）およびエラーレート判定値（Ｒ１）が変更可能であるので、利用者は、この受信レベル判定値（Ｔ１）およびエラーレート判定値（Ｒ１）を選択することによって、データ転送時間を選択することができる。
【０１１３】
本発明の実施のさらに他の形態では、データ管理設備は、インターネット網に接続されるハードウェア資源であってもよい。インターネット網は、中継サーバを介して携帯電話事業者網に接続されている。中継サーバは、コンテンツ記述言語の変換、コンテンツ記述言語の表現形式の変換およびネットワークプロトコルの変換などを行うサーバである。本実施の形態では、データ管理設備は、たとえば携帯電話の書換え用プログラムデータを格納した磁気記憶装置、中継サーバと通信する通信制御装置、中央演算装置などから構成されるコンピュータ装置によって実現される。
【０１１４】
無線通信装置１は、基地局および中継サーバを介してデータ管理設備と接続される。無線通信装置１と基地局とは、無線回線によって接続され、基地局と中継サーバとは、有線回線によって接続され、中継サーバとデータ管理設備とは、有線回線によって接続される。無線通信装置１は、データ管理設備から中継サーバおよび基地局を介して、プログラムデータをダウンロードする。
【０１１５】
本発明の実施のさらに他の形態では、ダウンロードされるデータは、無線制御部３を動作させるためのプログラムデータに限らず、その他のプログラムデータであってもよく、また画像データおよび音声データなどであってもよい。画像データおよび音声データなどは、書換えセンタ以外の予め定めるデータ管理設備からダウンロードされる。画像データおよび音声データなどは、プログラムデータ記憶部５ではなく、たとえばユーザデータ記憶部７に書込まれる。
【０１１６】
前述の実施の各形態の無線通信装置は、携帯電話機によって実現されたが、本発明の実施のさらに他の形態の無線通信装置は、簡易型携帯電話機（Ｐｅｒｓｏｎａｌ
Ｈａｎｄｙｐｈｏｎｅ　Ｓｙｓｔｅｍ、略称ＰＨＳ）によって実現されてもよい。また本発明の実施のさらに他の形態の無線通信装置は、たとえばコードレス電話機の子機によって実現されてもよい。本実施の形態では、無線接続装置は、コードレス電話機の親機である。この親機は、有線回線によってインターネット網に接続され、データ管理設備に接続される。
【０１１７】
【発明の効果】
以上のように本発明によれば、予め定める受信レベル判定値（Ｔ１）が設定され、受信レベル判定部によって受信レベル検出値（Ｔ）が受信レベル判定値（Ｔ１）以上であると判定されたとき、書込み命令部が受信データを記憶部に書込ませる。したがってデータを確実に受信することができるときだけ、受信データを記憶部に書込むことができる。これによって確実にデータを記憶部に書込むことができ、かつ無駄な電力消費を可及的に低減することができる。
【０１１８】
また本発明によれば、予め定めるエラーレート判定値（Ｒ１）が設定され、エラーレート判定部によってエラーレート検出値（Ｒ）がエラーレート判定値（Ｒ１）以下であると判定されたとき、書込み命令部が受信データを記憶部に書込ませる。したがってデータを確実に受信することができるときだけ、受信データを記憶部に書込むことができる。これによって確実にデータを記憶部に書込むことができ、かつ無駄な電力消費を可及的に低減することができる。
【０１１９】
また本発明によれば、発信元判定部によって発信元が予め定めるデータ管理設備であると判定されたとき、本発明の無線通信装置と、発信元、すなわち予め定めるデータ管理設備との接続が確立される。したがって予め定めるデータ管理設備からの着信によって、予め定めるデータ管理設備と接続を確立することができる。また予め定めるデータ管理設備とは異なる他のデータ管理設備と接続が確立されてしまうことが防がれ、これによって他のデータ管理設備からの不所望な受信データが記憶部に書込まれてしまうことが防がれる。
【０１２０】
また本発明によれば、発信先判定部によって発信先が予め定めるデータ管理設備であると判定されたとき、本発明の無線通信装置と、発信先、すなわち予め定めるデータ管理設備との接続が確立される。したがって予め定めるデータ管理設備とは異なる他のデータ管理設備と接続が確立されてしまうことが防がれ、これによって他のデータ管理設備からの不所望な受信データが記憶部に書込まれてしまうことが防がれる。
【０１２１】
また本発明によれば、無線接続装置判定部によって予め定める無線接続装置に接続されていると判定されたとき、本発明の無線通信装置と予め定めるデータ管理設備との接続が確立される。したがって受信データを記憶部に書込むことができる場所が限定される。これによって不所望な受信データが記憶部に書込まれてしまう可能性を低下させることができ、したがって安全性を向上させることができる。
【０１２２】
また本発明によれば、受信レベル判定値（Ｔ１）が変更可能であるので、利用者は、この受信レベル判定値（Ｔ１）を選択することができる。受信レベルは、データ転送時間に与える影響が大きいので、利用者は、受信レベル判定値（Ｔ１）を選択することによって、データ転送時間を選択することができる。
【０１２３】
また本発明によれば、エラーレート判定値（Ｒ１）が変更可能であるので、利用者は、このエラーレート判定値（Ｒ１）を選択することができる。エラーレートは、データ転送時間に与える影響が大きいので、利用者は、エラーレート判定値（Ｒ１）を選択することによって、データ転送時間を選択することができる。
【０１２４】
また本発明によれば、受信データを記憶部に書込むときは、前記自動電力制御部を機能させず、最大送信電力または予め定める送信電力で通信する。したがって送信電力が小さいことが原因で、受信データが記憶部に書込まれている途中に、通信の失敗が増加すること、および接続が切断されることが防がれる。
【０１２５】
また本発明によれば、記憶部が不揮発性メモリであるので、電力の供給が停止されても、データを保持することができる。
【図面の簡単な説明】
【図１】本発明の実施の一形態の無線通信装置１のアルゴリズムを示す図である。
【図２】無線通信装置１の全体の動作を説明するためのフローチャートである。
【図３】本発明の実施の他の形態の無線通信装置２１のアルゴリズムを示す図である。
【図４】無線通信装置２１の全体の動作を説明するためのフローチャートである。
【図５】本発明の実施のさらに他の形態の無線通信装置の全体の動作を説明するためのフローチャートである。
【図６】本発明の実施のさらに他の形態の無線通信装置の全体の動作を説明するためのフローチャートである。
【図７】本発明の実施のさらに他の形態の無線通信装置の全体の動作を説明するためのフローチャートである。
【図８】図１に示される無線通信装置１の全体の動作の他の例を説明するためのフローチャートである。
【図９】受信レベル判定値（Ｔ１）およびエラーレート判定値（Ｒ１）を登録するときの無線通信装置の全体の動作を説明するためのフローチャートである。
【符号の説明】
１，２１　無線通信装置
２　制御部
３　無線制御部
５　プログラムデータ記憶部
６　無線制御データ記憶部
７　ユーザデータ記憶部
１５　受信レベル判定部
１６，２３　書込み命令部
１８　自動電力制御部
１９　受信レベル検出部
２２　エラーレート判定部
２４　エラーレート検出部
【図１】
2004040501.tif 000003
【図２】
2004040501.tif 000004
【図３】
2004040501.tif 000005
【図４】
2004040501.tif 000006
【図５】
2004040501.tif 000007
【図６】
2004040501.tif 000008
【図７】
2004040501.tif 000009
【図８】
2004040501.tif 000010
【図９】
2004040501.tif 000011